(57)【要約】【課題】  平面ディスプレイの給電装置を隠蔽しディスプレイ効果を高める。【解決手段】  平面ディスプレイ１の背面に受電器３が固着され、平面ディスプレイが取り付けられる壁面４に給電器２が固着され、平面ディスプレイを壁面に取り付ける際に受電器を給電器に正対させるガイド手段１７，１８と、受電器を給電器上に正対した状態で固定する固定手段１９，２０とが、受電器と給電器との間に設けられる。給電器及び受電器を平面ディスプレイの背後に隠蔽し、ディスプレイ効果を高めることができる。また、電気的接点が露出しない非接触給電であるから安全性が高い。【選択図】  図１
2006276638.tif 000002
【特許請求の範囲】
【請求項１】
平面ディスプレイの背面に受電器が固着され、平面ディスプレイが取り付けられる壁面に給電器が固着され、平面ディスプレイを壁面に取り付ける際に受電器を給電器に正対させるガイド手段と、受電器を給電器上に正対した状態で固定する固定手段とが、受電器と給電器との間に設けられたことを特徴とする平面ディスプレイの非接触給電装置。
【請求項２】
請求項１に記載の平面ディスプレイの非接触給電装置において、ガイド手段がピンとピンが挿入されるピン孔とで構成されたことを特徴とする平面ディスプレイの非接触給電装置。
【請求項３】
請求項２に記載の平面ディスプレイの非接触給電装置において、ガイド手段がピンとピン孔とを複数対備えたことを特徴とする平面ディスプレイの非接触給電装置。
【請求項４】
請求項１に記載の平面ディスプレイの非接触給電装置において、固定手段が永久磁石と永久磁石に吸着される磁性体とで構成されたことを特徴とする平面ディスプレイの非接触給電装置。
【請求項５】
請求項４に記載の平面ディスプレイの非接触給電装置において、固定手段が永久磁石と磁性体とを複数対備えたことを特徴とする平面ディスプレイの非接触給電装置。
【請求項６】
請求項１乃至請求項５のいずれかに記載の平面ディスプレイの非接触給電装置において、平面ディスプレイが有機ＥＬディスプレイであることを特徴とする平面ディスプレイの非接触給電装置。
【発明の詳細な説明】
【技術分野】
【０００１】
本発明は、有機ＥＬディスプレイ等の平面ディスプレイに非接触で給電する装置に関する。
【背景技術】
【０００２】
従来、シート状の有機ＥＬディスプレイを壁面に貼り付けた場合、有機ＥＬディスプレイへの給電は、有機ＥＬディスプレイから引き出したコードのプラグをコンセントに差し込むことにより行っている。
【発明の開示】
【発明が解決しようとする課題】
【０００３】
従来の給電方法は簡易な方法であるが、コード、プラグ、コンセント等がディスプレイのディスプレイ側に露出するので、ディスプレイ効果が減殺されるという問題がある。また、屋外での使用時に給電用の接点に雨等がかかりやすいという問題がある。さらに、ディスプレイからコードが引き出されている等の関係上ディスプレイの交換が面倒であるという問題がある。
【０００４】
従って、本発明は上記問題点を解決することができる手段を提供することを目的とする。
【課題を解決するための手段】
【０００５】
上記課題を解決するため、請求項１に係る発明は、平面ディスプレイの背面に受電器が固着され、平面ディスプレイが取り付けられる壁面に給電器が固着され、平面ディスプレイを壁面に取り付ける際に受電器を給電器に正対させるガイド手段と、受電器を給電器上に正対した状態で固定する固定手段とが、受電器と給電器との間に設けられた平面ディスプレイの非接触給電装置を採用する。
【０００６】
また、請求項２に係る発明は、請求項１に記載の平面ディスプレイの非接触給電装置において、ガイド手段がピンとピンが挿入されるピン孔とで構成された平面ディスプレイの非接触給電装置を採用する。
【０００７】
また、請求項３に係る発明は、請求項２に記載の平面ディスプレイの非接触給電装置において、ガイド手段がピンとピン孔とを複数対備えた平面ディスプレイの非接触給電装置を採用する。
【０００８】
また、請求項４に係る発明は、請求項１に記載の平面ディスプレイの非接触給電装置において、固定手段が永久磁石と永久磁石に吸着される磁性体とで構成された平面ディスプレイの非接触給電装置を採用する。
【０００９】
また、請求項５に係る発明は、請求項４に記載の平面ディスプレイの非接触給電装置において、固定手段が永久磁石と磁性体とを複数対備えた平面ディスプレイの非接触給電装置を採用する。
【００１０】
また、請求項６に係る発明は、請求項１乃至請求項５のいずれかに記載の平面ディスプレイの非接触給電装置において、平面ディスプレイが有機ＥＬディスプレイである平面ディスプレイの非接触給電装置を採用する。
【発明の効果】
【００１１】
本発明によれば、平面ディスプレイの背面に受電器が固着され、平面ディスプレイが取り付けられる壁面に給電器が固着され、平面ディスプレイを壁面に取り付ける際に受電器を給電器に正対させるガイド手段と、受電器を給電器上に正対した状態で固定する固定手段とが、受電器と給電器との間に設けられた平面ディスプレイの非接触給電装置であるから、給電器及び受電器を平面ディスプレイの背後に隠蔽し、ディスプレイ効果を高めることができる。また、平面ディスプレイを雨水のかかりやすい屋外等で使用する場合においても、電気的接点が露出しない非接触給電であるから安全性がきわめて高い。また、平面ディスプレイを壁面に取り付ける際に平面ディスプレイの背後の給電器及び受電器を見ることができないが、ガイド手段により受電器を給電器に適正に正対させることができる。また、受電器を給電器に固定手段により固定するので、受電器が給電器から容易に脱落しないようにし給電を適正に持続することができる。
【発明を実施するための最良の形態】
【００１２】
以下、図面を参照して本発明を実施するための最良の形態について説明する。
【００１３】
図１乃至図５に示すように、この平面ディスプレイ１の非接触給電装置は、給電器２から受電器３へと非接触で電力を供給するようになっており、図１及び図４に示すように、平面ディスプレイ１の背面に受電器３が固着され、平面ディスプレイ１が取り付けられる壁面４に給電器２が固着されている。
【００１４】
平面ディスプレイ１は、具体的には有機ＥＬ（エレクトロルミネッセンス）表示装置であり、例えば大きさ３０ｃｍ×２０ｃｍ、厚さ２ｍｍ程度のシート状に形成される。もちろん、平面ディスプレイ１は有機ＥＬ表示装置に限らず他の表示装置であってもよい。平面ディスプレイ１は公知の構造であるから、詳細な説明は省略する。
【００１５】
給電器２は、図２（Ａ）（Ｂ）に示すように、アルミニウム等の剛性があり熱伝導性の良い金属で出来た基板５を備え、この基板５の中央部に保護体６が樹脂のモールド等により板状に成形され固着される。図５に示すように、給電器２は、給電コイル７と、外部の電源部８から電力を受け取り給電コイル７に送る給電部１０と、給電コイル７が受電器３の受電コイル９に正対したことを検知する検出部１１とを具備する。この給電コイル７等の回路装置が上記基板５上において保護体６内に埋設される。給電器２は基板５が壁面４の凹部４ａ内にネジ、粘着テープ等により固定されることにより壁面４上に保持される。
【００１６】
外部の電源部８は、平面ディスプレイ１が取り付けられる壁面４の背後等人目に付かない箇所に設けられ、給電器２の給電部１０にリード線１２により電気的に連結される。
【００１７】
また、受電器３は、図３（Ａ）（Ｂ）に示すように、アルミニウム等の剛性があり熱伝導性の良い金属で出来た基板１３を備え、この基板１３の中央部に保護体１４が樹脂のモールド等により板状に成形され固着される。図５に示すように、受電器３は、給電コイル７に近接した位置で正対することにより電磁誘導回路を形成する受電コイル９と、受電コイル９から来る電力を受け取り電流及び電圧を処理する受電部１５と、受電部１５からの信号を受けて平面ディスプレイ１に駆動信号を出力する駆動部１６とを具備する。この受電コイル９等の回路装置が上記基板１３上において保護体１４内に埋設される。受電器３は基板１３を平面ディスプレイ１の背面におけるいずれかの隅部に粘着テープ等により固着されることにより、平面ディスプレイ１の背面に保持される。隅部に限らず平面ディスプレイ１の背面におけるいずれかの辺に沿った箇所に固着してもよい。この受電器３が給電器２に重ねられると同時に、給電器２及び受電器３が壁面４上において平面ディスプレイ１により隠蔽され、外部から視認不能となる。
【００１８】
給電効率を高めるうえで、受電器３の受電コイル９は給電器２の給電コイル７に対し、例えば２ｍｍ程度の近接した距離で正対させる必要があるので、図２（Ｂ）及び図３（Ｂ）に示すように、上記給電器２の給電コイル７と受電器３の受電コイル９はそれぞれ保護体６，１４のできるだけ表層近くに埋設される。保護体６，１４の表面同士が接触することで、受電コイル９は給電コイル７に近接した位置に保持される。
【００１９】
また、給電効率を高めるうえで、受電器３は給電器２に対し正確に正対させる必要があるので、給電器２と受電器３との間には、平面ディスプレイ１を壁面４に取り付ける際に受電器３を給電器２に正対させるべく位置決めするガイド手段が設けられる。
【００２０】
図１乃至図４に示すように、ガイド手段は、具体的にはピン１７と、ピン１７が挿入されるピン孔１８とを複数対備え、ピン孔１８が給電器２の基板５の二つの隅部に固着されたブロック部１８ａに形成され、ピン１７が受電器３の基板１３の二つの隅部にピン孔１７に対向するように固着される。ピン１７及びピン孔１８は望ましくは各基板１３，５の対角線上に配置されるが、各基板１３，５の同一辺上に配置してもよい。また、ピン１７を給電器２側に設け、ピン孔１８を受電器３側に設けるようにしてもよいし、二対のピン１７及びピン孔１８のうち一方の対のピン１７を給電器２側に設け、他方の対のピン１７を受電器３側に設けるようにしてもよい。平面ディスプレイ１を壁面４に取り付ける際にピン１７をピン孔１８に差し込むようにすると、ピン１７及びピン孔１８のガイド作用により受電器３の受電コイル９が給電器２の給電コイル７に正対するように位置決めされる。
【００２１】
さらに、受電器３は給電器２に対して固定する必要があるので、給電器２と受電器３との間には、平面ディスプレイ１を壁面４に取り付ける際に受電器３を給電器２上に正対した状態で固定する固定手段が設けられる。
【００２２】
図１乃至図４に示すように、固定手段は、具体的には、永久磁石１９と永久磁石１９に吸着される磁性体２０とを複数対備える。永久磁石１９が給電器２の基板５における上記ピン孔１８等が設けられていない、空いた二つの隅部に固着され、磁性体２０が同じく受電器３の基板１３における空いた二つの隅部に永久磁石１９に対向するように固着される。永久磁石１９及び磁性体２０は望ましくは各基板５，１３の対角線上に配置されるが、各基板５，１３の同一辺上に配置してもよい。また、永久磁石１９を受電器３側に設け、磁性体２０を給電器２側に設けるようにしてもよいし、二対の永久磁石１９及び磁性体２０のうち一方の対の永久磁石１９を給電器２側に設け、他方の対の永久磁石１９を受電器３側に設けるようにしてもよい。平面ディスプレイ１を壁面４に取り付ける際にピン１７をピン孔１８に差し込むと、ピン１７及びピン孔１８のガイド作用により受電器３の受電コイル９が給電器２の給電コイル７に正対し、同時に磁性体２０が永久磁石１９に吸着されることで、受電器３は給電器２上に位置決めされた状態で固定される。
【００２３】
次に、上記構成の平面ディスプレイの非接触給電装置の作用について説明する。
【００２４】
図１に示すように、平面ディスプレイ１を壁面４に取り付ける際にピン１７をピン孔１８に差し込むようにすると、ピン１７及びピン孔１８のガイド作用により、受電器３の受電コイル９が給電器２の給電コイル７に正対するように正確に位置決めされる。
【００２５】
また、同時に磁性体２０が永久磁石１９に吸着されることで、受電器３は給電器２上に位置決めされた状態で固定される。
【００２６】
平面ディスプレイ１を適宜手段により壁面４に固定すると、図４に示すように、給電器２及び受電器３は平面ディスプレイ１の背後に隠蔽される。
【００２７】
電源部８は、交流電流を例えば直流１２ボルトの電源電流に変換し、電源信号として給電部１０に出力する。
【００２８】
一方、検出部１１は、給電コイル７と受電コイル９とが平行に正対するように平面ディスプレイ１が存在しているか否かを検出し、平面ディスプレイ１がその位置にあることを示す検出信号を生成して給電部１０に出力する。
【００２９】
給電部１０は、電源信号を予め設定された周波数を有するパルス状の給電信号に変換し、検出部１１から上記検出信号が出力されているときのみ、すなわち、検出部１１において、平面ディスプレイ１が上記所定の位置に掲示されていることが確認されたときのみ上記給電信号を給電コイル７に供給する。
【００３０】
受電コイル９は、平面ディスプレイ１が上記所定の位置に掲示された状態で給電コイル７に近接しかつ平行に対向する位置にあり、給電コイル７との間で電磁誘導回路を形成する。
【００３１】
そして、この状態で給電コイル７に対して上記給電信号が供給されると、その大きさに対応した誘導起電力が受電コイル９に発生し、受電コイル９から受電部１５に対して受電信号が出力される。
【００３２】
受電信号が入力された受電部１５は、この受電信号における電流及び電圧を加工し、駆動部１６に対して駆動信号として出力する。
【００３３】
これにより、駆動部１６は、駆動信号に基づいて平面ディスプレイ１を駆動する駆動信号を生成し、これを平面ディスプレイ１に出力し所望の表示を平面ディスプレイ１の画面上で行わせる。
【図面の簡単な説明】
【００３４】
【図１】本発明に係る平面ディスプレイの非接触給電装置の一実施態様を示す斜視図である。
【図２】（Ａ）は給電器の平面図、（Ｂ）は（Ａ）中、Ｂ−Ｂ線矢視断面図である。給電器の平面図である。
【図３】（Ａ）は受電器の平面図、（Ｂ）は（Ａ）中、Ｂ−Ｂ線矢視断面図である。受電器の平面図である。
【図４】図１中、ＩＩＩ−ＩＩＩ線矢視断面図である。
【図５】非接触給電装置のブロック線図である。
【符号の説明】
【００３５】
１…平面ディスプレイ
２…給電器
３…受電器
４…壁面
１７…ピン
１８…ピン孔
１９…永久磁石
２０…磁性体
【図１】
2006276638.tif 000003
【図２】
2006276638.tif 000004
【図３】
2006276638.tif 000005
【図４】
2006276638.tif 000006
【図５】
2006276638.tif 000007